(57)【要約】      （修正有）【課題】構造が簡単であり、かつ循環流水の障害とならない構造の水位調節装置を設けた水耕栽培装置を提供する。【解決手段】水耕栽培装置は、正面視三角形状の取付台の周囲に階段状に水平又は下流側にやや傾斜した栽培パイプを複数個設け、栽培パイプの最上部の栽培パイプに給水管、最下部の栽培パイプに排水管を接続し、かつ液肥が循環するように上流側の栽培パイプと下流側の栽培パイプをそれぞれ連結パイプで接続する水耕栽培装置において、栽培パイプの両端に蓋本体７の中央部分に開口首８を設けた水位調節キャップ６を接続するものである。これにより、構造が簡単であり、かつ液肥の循環流水の障害とならず、液肥の水位調節を簡単に行うことができる。【選択図】図３
0003184579.tif 000002
【実用新案登録請求の範囲】
【請求項１】
正面視三角形状の取付台の周囲に階段状に水平又は下流側にやや傾斜した栽培パイプを複数個設け、該栽培パイプの最上部の栽培パイプに給水管、最下部の栽培パイプに排水管を接続し、かつ液肥が循環するように上流側の栽培パイプと下流側の栽培パイプをそれぞれ連結パイプで接続する水耕栽培装置において、前記栽培パイプの両端に蓋本体の中央部分に開口首を設けた水位調節キャップを接続することを特徴とする水耕栽培装置。
【請求項２】
前記水位調節キャップの蓋本体の中央部分より偏心した位置に前記開口首を設けることを特徴とする請求項１記載の水耕栽培装置。
【考案の詳細な説明】
【技術分野】
【０００１】
本考案は、液肥を循環させながら、野菜や果菜類などを栽培する水耕栽培装置に関するものである。
【背景技術】
【０００２】
従来、水槽から水を汲み上げ、育成パイプから流し、水を循環させながら、育成ポット内の固定材に種及び苗を挟み固定し、流水式の水耕栽培ができる流水式水耕栽培機が知られている（特許文献１を参照）。
この公知技術は、三角形状の取付台の周囲に階段状に育成パイプを設け、該育成パイプの上部に吸水口、下部に排水口を設け、かつ前記育成パイプに常に水に浸かるように水高安定弁をパイプ内部に設け、前記育成パイプに整列状態に複数個の育成ポット差込口を設け、さらに前記取付台の下部に水槽を設け、該水槽に給水管を設け、前記育成パイプに前記給水管を取り付けて水耕栽培ができるようにした流水式水耕栽培機である。
【０００３】
しかし、この流水式水耕栽培機は、育成パイプの内部に常に水に浸かるように水高安定弁を設けたものであるが、その製造が困難であり、しかも循環流水の障害となるような構造であった。
そのため、構造が簡単であり、かつ循環流水の障害とならない構造の水位調節装置が望まれていた。
【先行技術文献】
【特許文献】
【０００４】
【特許文献１】特開２０１０−３５５４０号公報
【考案の概要】
【考案が解決しようとする課題】
【０００５】
本考案は、構造が簡単であり、かつ循環流水の障害とならない構造の水位調節装置を設けた水耕栽培装置を提供することを目的とする。
【課題を解決するための手段】
【０００６】
本考案の水耕栽培装置は、正面視三角形状の取付台の周囲に階段状に水平又は下流側にやや傾斜した栽培パイプを複数個設け、該栽培パイプの最上部の栽培パイプに給水管、最下部の栽培パイプに排水管を接続し、かつ液肥が循環するように上流側の栽培パイプと下流側の栽培パイプをそれぞれ連結パイプで接続する水耕栽培装置において、前記栽培パイプの両端に蓋本体の中央部分に開口首を設けた水位調節キャップを接続するものである。
前記水位調節キャップの蓋本体の中央部分より偏心した位置に前記開口首を設ける。
【考案の効果】
【０００７】
本考案の水耕栽培装置は、正面視三角形状の取付台の周囲に階段状に水平又は下流側にやや傾斜した栽培パイプを複数個設け、該栽培パイプの最上部の栽培パイプに給水管、最下部の栽培パイプに排水管を接続し、かつ液肥が循環するように上流側の栽培パイプと下流側の栽培パイプをそれぞれ連結パイプで接続する水耕栽培装置において、前記栽培パイプの両端に蓋本体の中央部分に開口首を設けた水位調節キャップを接続するものであるため、構造が簡単であり、かつ液肥の循環流水の障害とならず、液肥の水位調節を簡単に行うことができる。
【図面の簡単な説明】
【０００８】
【図１】本考案の水耕栽培装置の平面図である。
【図２】本考案の水耕栽培装置の側面図である。
【図３】本考案の水耕栽培装置の水位調節キャップの一部拡大側面である。
【図４】本考案の水耕栽培装置の水位調節キャップの（ａ）首開口を中央部に設けた正面図、（ｂ）首開口を偏心させた正面図である。
【考案を実施するための形態】
【０００９】
本考案の水耕栽培装置の一実施例を添付図面に基づいて、以下に説明する。
図１の正面図に示すように、本考案の水耕栽培装置は、正面視三角形状の取付台１の周囲に階段状に水平又は下流側にやや傾斜した栽培パイプ２を複数個設け、該栽培パイプ２の最上部の栽培パイプ２に給水管３、最下部の栽培パイプ２に排水管４を接続し、かつ液肥が循環するように上流側の栽培パイプ２と下流側の栽培パイプ２をそれぞれ連結パイプ５で接続する。
【００１０】
図２の側面図に示すように、前記栽培パイプ２は、塩ビ等の合成樹脂製パイプから成り、円周面上部に等間隔に野菜などの苗を保持した栽培筒を支持する栽培孔を多数個穿孔する。前記連結パイプ５も塩ビ等の合成樹脂製パイプから成る。
前記最上部の栽培パイプ２の上流側端部には水位調節キャップ６を介して給水管３を接続し、かつ下流側端部にも水位調節キャップ６を介して連結パイプ５を接続する。次段以下の栽培パイプ２にも同様にして、上流側には水位調節キャップ６を介して連結パイプ５を接続し、かつ下流側にも水位調節キャップ６を介して連結パイプ５を接続する。そして、前記最下部の栽培パイプ２の上流側には水位調節キャップ６を介して連結パイプ５を接続し、かつ下流側に水位調節キャップ６を介して排水管４を接続する。
このようにして、前記給水管３から供給された液肥が前記栽培パイプ２を蛇行状に順次循環して前記排水管４から排水される。なお、前記給水管３及び前記排水管４は液肥調整設備に接続され、液肥が循環利用されるようになっている。
【００１１】
図３の拡大断面図に示すように、前記水位調節キャップ６は、塩ビ等の合成樹脂製蓋から成り、前記栽培パイプ２の両端に嵌合される。前記水位調節キャップ６の蓋本体７の中央部分に開口首８を設け、該開口首８に前記接続管９、前記エルボ管１０及び前記連結パイプ５が嵌合するようになっている。
水位を調節する蓋本体７の開口首８を中央部に設けたことにより、注水時はＡ位置まで水位が上がり、注水停止時にはＢ位置まで水位が下がり、Ｂ位置で最低水位が保たれ、Ａ〜Ｂ間の根毛が空気に触れ、酸素Ｏ２が毛根部より吸収される。
【００１２】
図４の正面図に示すように、（ａ）中央部に首開口８を設けたものに対し、（ｂ）首開口を偏心させたものは、前記水位調節キャップ６の蓋本体７の取付位置を変化させることにより、Ａ〜Ｂ間の水位を変更することができる。
このように、本考案の水耕栽培装置は、水位調節キャップ６を設けたことにより、構造が簡単であり、かつ液肥の循環流水の障害とならず、液肥の水位調節を簡単に行うことができる。
【符号の説明】
【００１３】
１  取付台
２  栽培パイプ
３  給水管
４  排水管
５  連結パイプ
６  水位調節キャップ
７  蓋本体
８  開口首
９  接続管
１０  エルボ管
【図１】
0003184579.tif 000003
【図２】
0003184579.tif 000004
【図３】
0003184579.tif 000005
【図４】
0003184579.tif 000006